【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
３色の色成分を表す色空間によって表現された画像データを処理する画像処理装置であって、
前記３色の色成分のうち、１色が飽和している色信号および２色が飽和している色信号を、光源情報に基づき特定される無彩色軸にマッピングする第１のマッピング処理部と、
前記飽和している色信号の周囲の色信号を、前記無彩色軸方向へ、前記周囲の色信号の彩度の階調を保持するマッピングを行う第２のマッピング処理部とを備える画像処理装置。
【請求項２】
３色の色成分の表色座標系によって表された画像データを処理する画像処理装置であって、
前記３色の色成分のうち、第１の色成分が飽和する第１飽和点と、前記第１の色成分および第２の色成分が飽和する第２飽和点と、前記第１の色成分、前記第２の色成分および第３の色成分が飽和する第３飽和点とを特定する飽和点特定部と、
前記第１飽和点、前記第２飽和点、および、前記第３飽和点を連結して構成される飽和線分上の色信号を、光源情報に基づき特定される無彩色軸にマッピングする第１のマッピング処理部と、
前記飽和線分から所定の範囲の領域であるマッピング候補領域を設定する候補領域設定部と、
前記飽和線分から前記マッピング候補領域内の色信号までの距離に応じて、マッピングに伴う変位量を変化させて、該マッピング候補領域内の色信号を、前記無彩色軸方向へマッピングする第２のマッピング処理部とを備える画像処理装置。
【請求項３】
前記変位量は、前記飽和線分からの距離に反比例して定められる請求項２記載の画像処理装置。
【請求項４】
請求項１ないし請求項３いずれか記載の画像処理装置であって、
前記光源情報は、前記画像データの撮像時の環境に基づき設定された光源情報である画像処理装置。
【請求項５】
請求項１ないし請求項３いずれか記載の画像処理装置であって、更に、
前記無彩色軸を、指定された光源情報に基づき特定される無彩色軸である指定光源無彩色軸に設定する無彩色軸設定部を備える画像処理装置。
【請求項６】
請求項５記載の画像処理装置であって、更に、
前記３色の各色成分値を調整する調整値を設定する調整値設定部を備え、
前記無彩色軸設定部は、前記調整値に基づき、前記無彩色軸上の座標点の各色成分値を調整して、前記無彩色軸を前記指定光源無彩色軸と同一の軸に設定し、
前記第１のマッピング処理部および前記第２のマッピング処理部は、前記設定された無彩色軸に基づき、前記第１および第２のマッピング処理を実行する画像処理装置。
【請求項７】
請求項６記載の画像処理装置であって、更に、
前記調整値を特定する調整値特定情報を入力する入力部と、
前記調整値特定情報と前記調整値とを対応付ける調整値管理情報を格納する管理情報格納部とを備え、
前記調整値設定部は、前記入力された調整値特定情報および前記調整値管理情報に基づき、前記調整値を設定する画像処理装置。
【請求項８】
請求項６記載の画像処理装置であって、
前記調整値設定部は、前記画像データを解析した結果に基づき前記調整値を設定する画像処理装置。
【請求項９】
請求項８記載の画像処理装置であって、
前記調整値設定部は、前記画像データの無彩色近傍の画素群における前記３色の色成分の各平均値を算出し、前記各平均値を等量とする前記調整値を設定する画像処理装置。
【請求項１０】
請求項８記載の画像処理装置であって、更に、
前記調整値を特定する調整値特定情報と前記調整値とを対応付ける調整値管理情報を格納する管理情報格納部を備え、
前記調整値設定部は、前記解析により前記調整値特定情報を取得し、前記取得した調整値特定情報および前記調整値管理情報に基づき、前記調整値を設定する画像処理装置。
【請求項１１】
請求項１０記載の画像処理装置であって、
前記調整値特定情報は、前記画像データに設定されている情報である画像処理装置。
【請求項１２】
３色の色成分を表す色空間で表現された画像データを画像処理装置により処理する画像処理方法であって、
前記３色の色成分のうち、１色が飽和している色信号および２色が飽和している色信号を、光源情報に基づき特定される無彩色軸にマッピングする工程と、
前記飽和している色信号の周囲の色信号を、前記無彩色軸方向へ、前記周囲の色信号の彩度の階調を保持するマッピングを行う工程とを含む画像処理方法。
【請求項１３】
３色の色成分の表色座標系によって表された画像データを画像処理装置により処理する画像処理方法であって、
前記３色の色成分のうち、第１の色成分が飽和する第１飽和点と、前記第１の色成分および第２の色成分が飽和する第２飽和点と、前記第１の色成分、前記第２の色成分および第３の色成分が飽和する第３飽和点とを特定する工程と、
前記第１飽和点、前記第２飽和点、および、前記第３飽和点を連結して構成される飽和線分上の信号を、光源情報に基づき特定される無彩色軸にマッピングする工程と、
前記飽和線分から所定の範囲の領域であるマッピング候補領域を設定する工程と、
前記飽和線分から前記マッピング候補領域内の色信号までの距離に応じてマッピングに伴う変位量を変化させて、該マッピング候補領域内の色信号を、前記無彩色軸方向へマッピングする工程とを含む画像処理方法。
【請求項１４】
コンピュータに、３色の色成分を表す色空間で表現された画像データに対して画像処理を実行させるためのコンピュータプログラムであって、
前記３色の色成分のうち、１色が飽和している色信号および２色が飽和している色信号を、光源情報に基づき特定される無彩色軸にマッピングする機能と、
前記飽和している色信号の周囲の色信号を、前記無彩色軸方向へ、前記周囲の色信号の彩度の階調を保持するマッピングを行う機能とをコンピュータに実行させるためのコンピュータプログラム。
【請求項１５】
コンピュータに、３色の色成分の表色座標系によって表された画像データに対して画像処理を実行させるためのコンピュータプログラムであって、
前記３色の色成分のうち、第１の色成分が飽和する第１飽和点と、前記第１の色成分および第２の色成分が飽和する第２飽和点と、前記第１の色成分、前記第２の色成分および第３の色成分が飽和する第３飽和点とを特定する機能と、
前記第１飽和点、前記第２飽和点、および、前記第３飽和点を連結して構成される飽和線分上の信号を、光源情報に基づき特定される無彩色軸にマッピングする機能と、
前記飽和線分から所定の範囲の領域であるマッピング候補領域を設定する機能と、
前記飽和線分から前記マッピング候補領域内の色信号までの距離に応じてマッピングに伴う変位量を変化させて、該マッピング候補領域内の色信号を、前記無彩色軸方向へマッピングする機能とをコンピュータに実行させるためのコンピュータプログラム。
【請求項１６】
請求項１４または請求項１５記載のコンピュータプログラムを、コンピュータ読み取り可能に記録した記録媒体。
【手続補正２】
【補正対象書類名】明細書
【補正対象項目名】０００７
【補正方法】変更
【補正の内容】
【０００７】
上述した課題の少なくとも一部を解決するために、本発明は第１の構成として以下の構成をとることとした。すなわち、
３色の色成分を表す色空間で表現された画像データを処理する画像処理装置において、
前記３色の色成分のうち、１色が飽和している色信号および２色が飽和している色信号を、光源情報に基づき特定される無彩色軸にマッピングする第１のマッピング処理部と、
前記飽和している色信号の周囲の色信号を、前記無彩色軸方向へ、前記周囲の色信号の彩度の階調を保持するマッピングを行う第２のマッピング処理部とを備えることを要旨とする。
【手続補正３】
【補正対象書類名】明細書
【補正対象項目名】０００９
【補正方法】変更
【補正の内容】
【０００９】
本発明の第２の構成として、３色の色信号の表色座標系において、画像データを処理する画像処理装置において、
前記３色の色成分のうち、第１の色成分が飽和する第１飽和点と、前記第１の色成分および第２の色成分が飽和する第２飽和点と、前記第１の色成分、前記第２の色成分および第３の色成分が飽和する第３飽和点とを特定する飽和点特定部と、
前記第１飽和点、前記第２飽和点、および、前記第３飽和点を連結して構成される飽和線分上の色信号を、光源情報に基づき特定される無彩色軸にマッピングする第１のマッピング処理部と、
前記飽和線分から所定の範囲の領域であるマッピング候補領域を設定する候補領域設定部と、
前記飽和線分から前記マッピング候補領域内の色信号までの距離に応じて、マッピングに伴う変位量を変化させて、該マッピング候補領域内の色信号を、前記無彩色軸方向へマッピングする第２のマッピング処理部とを備えることを要旨とする。
【手続補正４】
【補正対象書類名】明細書
【補正対象項目名】００１２
【補正方法】変更
【補正の内容】
【００１２】
本発明の画像処理装置において、前記光源情報は、前記画像データの撮像時の環境に基づき設定された光源情報であることとしてもよい。こうすれば、撮影時の環境を反映した無彩色軸に基づき、マッピング処理を行うことができる。
【手続補正５】
【補正対象書類名】明細書
【補正対象項目名】００１３
【補正方法】変更
【補正の内容】
【００１３】
本発明の画像処理装置において、
更に、
前記無彩色軸を、指定された光源情報に基づき特定される無彩色軸である指定光源無彩色軸に設定する無彩色軸設定部を備えることとしてもよい。
【手続補正６】
【補正対象書類名】明細書
【補正対象項目名】００１５
【補正方法】変更
【補正の内容】
【００１５】
本発明の画像処理装置において、
更に、
前記３色の各色成分値を調整する調整値を設定する調整値設定部を備え、
前記無彩色軸設定部は、前記調整値に基づき、前記無彩色軸上の座標点の各色成分値を調整して、前記無彩色軸を前記指定光源無彩色軸と同一の軸に設定し、
前記第１のマッピング処理部および前記第２のマッピング処理部は、前記設定された無彩色軸に基づき、前記第１および第２のマッピング処理を実行することとしてもよい。
【手続補正７】
【補正対象書類名】明細書
【補正対象項目名】００１７
【補正方法】変更
【補正の内容】
【００１７】
本発明の画像処理装置において、
更に、
前記調整値を特定する調整値特定情報を入力する入力部と、
前記調整値特定情報と前記調整値とを対応付ける調整値管理情報を格納する管理情報格納部とを備え、
前記調整値設定部は、前記入力された調整値特定情報および前記調整値管理情報に基づき、前記調整値を設定することとしてもよい。
【手続補正８】
【補正対象書類名】明細書
【補正対象項目名】００１９
【補正方法】変更
【補正の内容】
【００１９】
本発明の画像処理装置において、前記調整値設定部は、前記画像データを解析した結果に基づき前記調整値を設定することとしてもよい。
【手続補正９】
【補正対象書類名】明細書
【補正対象項目名】００２３
【補正方法】変更
【補正の内容】
【００２３】
本発明の画像処理装置において、
更に、
前記調整値を特定する調整値特定情報と前記調整値とを対応付ける調整値管理情報を格納する管理情報格納部を備え、
前記調整値設定部は、前記解析により前記調整値特定情報を取得し、前記取得した調整値特定情報および前記調整値管理情報に基づき、前記調整値を設定することとしてもよい。
【手続補正１０】
【補正対象書類名】明細書
【補正対象項目名】００２５
【補正方法】変更
【補正の内容】
【００２５】
本発明の画像処理装置において、前記調整値特定情報は、前記画像データに設定されている情報であることとしてもよい。